【手続補正書】
【提出日】平成24年9月9日(2012.9.9)
【手続補正１】
【補正対象書類名】特許請求の範囲
【補正対象項目名】全文
【補正方法】変更
【補正の内容】
【特許請求の範囲】
【請求項１】
長方形の基板を長辺または短辺が搬送方向に沿った状態にて搬送する第１基板搬送機構と、
上記第１基板搬送機構における上記基板の下面に偏光フィルムを貼合する第１貼合部と、
上記第１基板搬送機構にて搬送された上記基板を反転させて第２基板搬送機構に配置する反転機構と、
上記基板を短辺または長辺が搬送方向に沿った状態にて搬送する第２基板搬送機構と、
上記第２基板搬送機構における上記基板の下面に偏光フィルムを貼合する第２貼合部とを含む偏光フィルム貼合装置であって、
上記第１基板搬送機構と第２基板搬送機構とは同一方向に向かって配置されており、
上記反転機構は上記基板を吸着する吸着部と、
上記吸着部に連結されており、基板を反転させる基板反転部とを備えており、  上記基板反転部は、第１基板搬送機構における基板を、（１）曲線を描くように、（２）反転させながら、（３）第１基板搬送機構の搬送方向に沿った長辺または短辺が搬送方向に対して直交する方向に沿うように、第２基板搬送機構に配置することを特徴とする偏光フィルムの貼合装置。
【請求項２】
長方形の基板を長辺または短辺が搬送方向に沿った状態にて搬送する第１基板搬送機構と、
上記第１基板搬送機構における上記基板の下面に偏光フィルムを貼合する第１貼合部と、
上記第１基板搬送機構にて搬送された上記基板を支持する基板支持部を備えた基板支持装置と、
上記基板支持部に連結して該基板支持部に支持された基板を反転させて配置する基板反転部を備えた反転機構と、
上記反転機構によって反転させるとともに短辺または長辺が搬送方向に沿った状態にて配置された上記基板を搬送する第２基板搬送機構と、
上記第２基板搬送機構における上記基板の下面に偏光フィルムを貼合する第２貼合部とを含む偏光フィルム貼合装置であって、
上記第１基板搬送機構と第２基板搬送機構とは同一方向に向かって配置されており、
上記反転機構は、上記基板の表面が裏面になるように基板反転部を反転させる反転軸および上記第１基板搬送機構において搬送される上記基板の配置方向から上記第２基板搬送機構において搬送される上記基板の配置方向に配置変更部によって変更される配置変更軸回りに一定角度範囲で回転させることにより、上記第１基板搬送機構において搬送された上記基板を円弧軌跡を描いて反転させるとともに、上記第２基板搬送機構における基板の搬送方向に沿うように配置を変更して、上記第２基板搬送機構に対して配置されるように構成されている
ことを特徴とする偏光フィルムの貼合装置。
【請求項３】
請求項２において、
前記反転機構は、前記基板反転部が前記配置変更部に回転可能に配設された前記反転軸を備える反転軸部に連結して、回転駆動源によってそれぞれ回転駆動されるように構成されている
ことを特徴とする偏光フィルムの貼合装置。
【請求項４】
請求項２において、
前記反転機構は、前記配置変更部が前記反転軸を備える反転軸部に連結した前記基板反転部に相対回転可能に配設され、回転駆動源によってそれぞれ回転駆動されるように構成されている
ことを特徴とする偏光フィルムの貼合装置。
【請求項５】
請求項２ないし請求項４のいずれかにおいて、
上記基板支持装置の上記基板支持部が、上記第１基板搬送機構にて搬送された上記基板の両面を挟着して支持する複数の支持部材によって構成されている
ことを特徴とする偏光フィルムの貼合装置。
【請求項６】
請求項２ないし請求項４のいずれかにおいて、
上記基板支持装置の上記基板支持部が、上記第１基板搬送機構にて搬送された上記基板の表面を吸着する吸着部を備えた吸着部材によって構成されている
ことを特徴とする偏光フィルムの貼合装置。
【請求項７】
請求項３または請求項４において、
上記基板支持装置が、上記基板の反転動作を行う基板反転部に連結した部材に配設され、上記第１基板搬送機構および第２基板搬送機構の端部に進入する第１の支持部材と第２の支持部材との相対的移動によって、上記第１の支持部材と第２の支持部材との間に上記第１基板搬送機構から搬送された上記基板を、挟着することによって支持するとともに、上記第１の支持部材と第２の支持部材との相対的移動によって、上記基板反転部によって反転された上記第１の支持部材と第２の支持部材との間に挟着されることによって支持された上記基板を、挟着による支持を解除して、上記第２基板搬送機構の端部に載置するように構成されている
ことを特徴とする偏光フィルムの貼合装置。
【請求項８】
請求項３または請求項４において、
上記第１基板搬送機構の端部が、幅方向に複数の部分に分割され、隣合う部分の間に上記第１および第２の支持部材を構成する第１および第２の櫛状部材の複数の突出部が進入する複数の間隙が形成されているとともに、上記第２基板搬送機構の端部が、搬送方向に複数の部分に分割され、隣合う部分の間に反転した上記第１および第２の支持部材を構成する上記第１および第２の櫛状部材の複数の突出部が進入する複数の間隙が形成されている
ことを特徴とする偏光フィルムの貼合装置。
【請求項９】
請求項８において、
上記第１および第２の支持部材を構成する複数の突出部を備えた第１および第２の櫛状部材が、一部を支点として一定角度範囲において揺動するように構成されている
ことを特徴とする偏光フィルムの貼合装置。
【請求項１０】
請求項９において、
上記第１および第２の支持部材を構成する複数の突出部を備えた上記第１および第２の櫛状部材が、揺動駆動機構によって揺動駆動されるように構成されている
ことを特徴とする偏光フィルムの貼合装置。
【請求項１１】
請求項１０において、
上記揺動駆動機構は、上記第１の支持部材を構成する複数の突出部を備えた上記第１の櫛状部材を揺動駆動する第１の揺動駆動機構と、第２の支持部材を構成する複数の突出部を備えた上記第２の櫛状部材を揺動駆動される第２の揺動駆動機構とから成る
ことを特徴とする偏光フィルムの貼合装置。
【請求項１２】
請求項８において、
上記第１および第２の支持部材を構成する複数の突出部を備えた上記第１および第２の櫛状部材が、一方向において相対的に接近または離隔して対向間隔が変化するように往復動可能に構成されている
ことを特徴とする偏光フィルムの貼合装置。
【請求項１３】
請求項１２において、
上記第１および第２の支持部材を構成する複数の突出部を備えた上記第１および第２の櫛状部材が、直線的駆動機構によって駆動され、往復動するように構成されている
ことを特徴とする偏光フィルムの貼合装置。
【請求項１４】
請求項１または請求項２において、
上記第１基板搬送機構および第２基板搬送機構が一直線上に配置されており、
第１基板搬送機構における第２基板搬送機構側の端部において、第１基板搬送機構の搬送方向に対して水平な両方向に沿って、基板載置部および上記反転機構が２対ずつ備えられ、
上記端部には、上記端部から上記基板載置部へ基板を搬送する搬送手段が備えられており、
上記反転機構は上記基板載置部のそれぞれに搬送された基板を反転させて第２基板搬送機構に配置することを特徴とする偏光フィルムの貼合装置。
【請求項１５】
請求項１、請求項２または請求項１４のいずれかにおいて、
偏光フィルムを搬送する第１フィルム搬送機構および第２フィルム搬送機構が備えられており、
上記第１フィルム搬送機構には、剥離フィルムに保護された偏光フィルムを巻出す複数の巻出部と、偏光フィルムを切断する切断部と、偏光フィルムから剥離フィルムを除去する除去部と、除去された上記剥離フィルムを巻取る複数の巻取部とが備えられており、
上記第２フィルム搬送機構には、剥離フィルムに保護された偏光フィルムを巻出す複数の巻出部と、偏光フィルムを切断する切断部と、偏光フィルムから剥離フィルムを除去する除去部と、除去された上記剥離フィルムを巻取る複数の巻取部とが備えられており、
上記第１基板搬送機構および第２基板搬送機構は上記第１フィルム搬送機構および第２フィルム搬送機構の上部に備えられており、
上記剥離フィルムが除去された偏光フィルムを基板に貼合する上記第１貼合部が上記第１フィルム搬送機構と第１基板搬送機構との間に、上記剥離フィルムが除去された偏光フィルムを基板に貼合する第２貼合部が上記第２フィルム搬送機構と第２基板搬送機構との間にそれぞれ備えられていることを特徴とする偏光フィルムの貼合装置。
【請求項１６】
請求項１、請求項２、請求項１４または請求項１５のいずれかにおいて、
上記第１貼合部によって基板の下面に偏光フィルムを貼合する前に、基板を洗浄する洗浄部を備え、
上記第１基板搬送機構は、基板の短辺が搬送方向に沿った状態にて基板を搬送することを特徴とする偏光フィルムの貼合装置。
【請求項１７】
請求項１５において、
上記第１フィルム搬送機構および上記第２フィルム搬送機構には、第１巻出部から巻出
された偏光フィルムに付された欠点表示を検出する欠点検出部と、
上記欠点表示を判別して、上記基板の搬送を停止させる貼合回避部と、
基板との貼合が回避された偏光フィルムを回収する回収部とを有することを特徴とする偏光フィルムの貼合装置。
【請求項１８】
請求項１、請求項２、請求項１４ないし請求項１７のいずれかに記載の偏光フィルムの貼合装置と、
上記第２貼合部によって偏光フィルムの貼合がなされた基板における貼りずれを検査する貼りずれ検査装置を備えることを特徴とする液晶表示装置の製造システム。
【請求項１９】
請求項１８において、
上記貼りずれ検査装置による検査結果に基づき貼りずれの有無を判定し、当該判定結果に基づき、偏光フィルムが貼合された基板の仕分けを行う仕分け搬送装置を備えることを特徴とする液晶表示装置の製造システム。
【請求項２０】
請求項１、請求項２、請求項１４ないし請求項１７のいずれかに記載の偏光フィルムの貼合装置と、
上記貼合装置における第２貼合部によって偏光フィルムの貼合がなされた基板における異物を検査する貼合異物自動検査装置とを備えることを特徴とする液晶表示装置の製造システム。
【請求項２１】
請求項２０において、
上記貼合異物自動検査装置による検査結果に基づき異物の有無を判定し、当該判定結果に基づき、偏光フィルムが貼合された基板の仕分けを行う仕分け搬送装置を備えることを特徴とする液晶表示装置の製造システム。
【請求項２２】
請求項１８において、
上記第２貼合部によって偏光フィルムの貼合がなされた基板における異物を検査する貼合異物自動検査装置を備え、
上記貼りずれ検査装置による検査結果、および、上記貼合異物自動検査装置による検査結果に基づき、貼りずれおよび異物の有無を判定し、当該判定結果に基づき、偏光フィルムが貼合された基板の仕分けを行う仕分け搬送装置を備えることを特徴とする液晶表示装置の製造システム。